(57)【特許請求の範囲】
【請求項１】
紡出された糸条を送る糸条送りローラと、
前記糸条送りローラにより送られる糸条を加熱するヒータと、
前記糸条送りローラ及び前記ヒータが収容され、糸条の入口と出口とが形成された保温箱と、を備えており、
前記保温箱には、前記保温箱内の空気を排出する排気手段に接続される排気口と、前記保温箱内に空気を流入させる流入口とがさらに形成されており、
前記排気手段により前記排気口から排出される空気と前記流入口から流入する空気との間で熱交換させる熱交換器をさらに備え、
前記排気口と前記流入口は、互いに離れて形成され、
前記熱交換器は、前記排気口と前記排気手段を接続する排気管と、前記流入口と接続された流入管と、を有しており、
前記流入管は、前記排気管に外挿された外管と、前記外管から分岐した分岐管と、を有しており、
前記外管は、一端を封止されており、
前記分岐管は、前記流入口と接続されていることを特徴とする糸条加熱装置。
【請求項２】
前記流入口には、前記保温箱内に強制的に空気を送り込む送気手段が接続されていることを特徴とする請求項１に記載の糸条加熱装置。
【請求項３】
前記送気手段による前記保温箱への空気の送気量は、前記排気手段による前記保温箱からの空気の排気量以上であることを特徴とする請求項２に記載の糸条加熱装置。
【請求項４】
前記分岐管は、前記外管の前記一端部から分岐していることを特徴とする請求項１〜３のいずれか１項に記載の糸条加熱装置。
【請求項５】
前記排気口は、前記糸条の入口よりも前記糸条の出口の近くに配置されていることを特徴とする請求項１〜４のいずれか１項に記載の糸条加熱装置。
【請求項６】
前記流入口は、前記糸条の出口よりも前記糸条の入口の近くに配置されており、
前記糸条の入口と前記流入口は、前記糸条の入口から入った糸条と前記流入口から流入した空気とが直交するように、または、前記糸条の入口から入った糸条の走行方向と逆向きに傾斜した方向に前記流入口から流入した空気が流れるように形成されていることを特徴とする請求項５に記載の糸条加熱装置。
【請求項７】
前記糸条送りローラが、前記ヒータを内蔵する加熱ローラであることを特徴とする請求項１〜６のいずれか１項に記載の糸条加熱装置。
【発明の詳細な説明】
【技術分野】
【０００１】
本発明は、糸条を加熱する糸条加熱装置に関する。
【背景技術】
【０００２】
特許文献１には、紡糸部から送出された糸条をゴデットローラで送りながら延伸してワインダで巻き取る紡糸巻取機について記載されている。この特許文献１の紡糸巻取機には、紡糸機から紡出された複数の糸条に油剤を付与する給油装置と、２つのゴデットローラとが設けられている。そして、紡糸機から紡出され、給油装置により油剤が付着した複数の糸条を２つのゴデットローラ間で延伸している。
【０００３】
また、特許文献２には、ゴデットローラとして加熱ローラを用いることが記載されている。そして、この加熱ローラはボックス（保温箱）内に収容されており、加熱ローラにより発生させた熱が、保温箱内から外部に逃げ出しにくいようになっている。
【先行技術文献】
【特許文献】
【０００４】
【特許文献１】特開２００７−７７５４７号公報（図１）
【特許文献２】特開２００１−２６２４２９号公報（図２）
【発明の概要】
【発明が解決しようとする課題】
【０００５】
ここで、特許文献１のように糸条に油剤が付与される場合に、特許文献２のようにゴデットローラを加熱ローラとして用いると、紡糸部から紡出されて油剤が付着した糸条が保温箱内を走行する際に、糸条に付着した油剤が加熱され気化して油煙が発生して、保温箱内に油煙が充満してしまうおそれがある。
【０００６】
そこで、保温箱内の煙を除去するために、排気ファンにより保温箱内の煙を空気とともに排出することが考えられる。しかしながら、これでは、保温箱内の煙を排出するときに、保温箱内の高温の空気もともに排出されてしまう。さらに、保温箱内の空気が排出されることで、保温箱内の気圧が外部よりも低下するため、例えば、保温箱に対して糸条を出し入れするための開口などから外部の低温の空気が流入してしまう。そして、保温箱内の温度が低下し、糸条を適切な温度に加熱するのに必要なヒータの消費電力が増大してしまう。
【０００７】
そこで、本発明の目的は、保温箱内の保温効率を上げることで、糸条送りローラにより送られる糸条を加熱するためのヒータの消費電力を低減することが可能な糸条加熱装置を提供することである。
【課題を解決するための手段】
【０００８】
本発明の糸条加熱装置は、紡出された糸条を送る糸条送りローラと、前記糸条送りローラにより送られる糸条を加熱するヒータと、前記糸条送りローラ及び前記ヒータが収容され、糸条の入口と出口とが形成された保温箱と、を備えており、前記保温箱には、前記保温箱内の空気を排出する排気手段に接続される排気口と、前記保温箱内に空気を流入させる流入口とがさらに形成されており、前記排気手段により前記排気口から排出される空気と前記流入口から流入する空気との間で熱交換させる熱交換器をさらに備え、
前記排気口と前記流入口は、互いに離れて形成され、前記熱交換器は、前記排気口と前記排気手段を接続する排気管と、前記流入口と接続された流入管と、を有しており、前記流入管は、前記排気管に外挿された外管と、前記外管から分岐した分岐管と、を有しており、前記外管は、一端を封止されており、前記分岐管は、前記流入口と接続されている。
【０００９】
保温箱内を走行する糸条に付着した油剤が保温箱内で加熱されると、加熱された油剤が気化して油煙を発生する。そこで、この煙を除去しようとして、排気手段により排気口から空気とともに煙を排出する。すると、保温箱内の空気が排出されるのにともない、保温箱内の気圧が外部よりも低下するため、保温箱内に流入口から空気が流入する。ここで、保温箱内の空気はヒータにより加熱されて、保温箱内に流入しようとする空気よりも高温になっている。そこで、本発明の糸条加熱装置では、熱交換器により排気口から排出される高温の空気と流入口から流入する低温の空気との間で熱交換させて、加熱された空気を保温箱内に流入させている。これにより、排気手段により保温箱内の空気を排出することによる保温箱内の温度低下が抑制され、保温箱内の保温効率が向上し、糸条を適切な温度に加熱するのに必要なヒータの消費電力を低減することができる。
また、前記排気口と前記流入口は、互いに離れて形成されている。これによると、保温箱内からの空気の排出と、保温箱内への空気の流入が離れた位置で行われるため、排気口の周辺で流入口から流入した空気により油煙が拡散することがなく、保温箱内から油煙を効率よく排出させることができる。また、流入口から保温箱内へ流入する空気がすぐに排気口から流出するのを防止することができる。
さらに、前記熱交換器は、前記排気口と前記排気手段を接続する排気管と、前記流入口と接続された流入管と、を有しており、前記流入管は、前記排気管に外挿された外管と、前記外管から分岐した分岐管と、を有しており、前記外管は、一端を封止されており、前記分岐管は、前記流入口と接続されている。これによると、保温箱内から排出され、排気管内を流れる高温の空気により、外管内を流れる低温の空気が加熱される。そして、外管内を流れる間に加熱された空気を分岐管を介して排気口から離れた位置で保温箱内に流入させることができる。
【００１０】
また、前記流入口には、前記保温箱内に強制的に空気を送り込む送気手段が接続されていることが好ましい。
【００１１】
これによると、排気手段により保温箱内の空気が排出されるのにともない、保温箱内の気圧が低下した際に、熱交換器の流入口を介して加熱された空気を保温箱内に流入させることができ、保温箱内に例えば糸条の入口などから熱交換器を介さずに冷たい空気が流入するのを抑制することができ、保温箱内の保温効率をさらに向上させることができる。
【００１２】
このとき、前記送気手段による前記保温箱への空気の送気量は、前記排気手段による前記保温箱からの空気の排気量以上であることが好ましい。
【００１３】
これによると、排気手段により保温箱内から排出される空気の量以上に、送気手段により保温箱内に加熱された空気が流入するため、保温箱内に熱交換器を介さずに冷たい空気が流入するのをより確実に抑制することができ、保温箱内の保温効率を一層向上させることができる。
【００１８】
そして、前記分岐管は、前記外管の前記一端部から分岐していることが好ましい。
【００１９】
これによると、外管内に流入した空気が、分岐管を流れる前に外管内を流れる時間が長くなり、熱交換器による熱交換効率を上げて、より高温に加熱された空気を保温箱内に流入させることができる。
【００２０】
また、前記排気口は、前記糸条の入口よりも前記糸条の出口の近くに配置されていてもよい。
【００２１】
糸条が走行すると、糸条の周囲に空気の流れ（随伴流）が生じる。そのため、糸条が入口を通って保温箱内に入る際には、外部の冷たい空気が入口を通って保温箱内に流れ込む。また、糸条が出口を通って保温箱内から出る際には、保温箱内の加熱された空気が出口を通って外部に流れ出す。このとき、保温箱の入口よりも出口の近くに、排気手段と接続された排気口を配置することで、出口から随伴流によって煙が外部に流れ出るのを抑制することができる。
【００２２】
このとき、前記流入口は、前記糸条の出口よりも前記糸条の入口の近くに配置されており、前記糸条の入口と前記流入口は、前記糸条の入口から入った糸条と前記流入口から流入した空気とが直交するように、または、前記糸条の入口から入った糸条の走行方向と逆向きに傾斜した方向に前記流入口から流入した空気が流れるように形成されていることが好ましい。
【００２３】
これによると、流入口から保温箱内に入口を横切って空気が流入するため、走行する糸条により発生した随伴流が入口を通過して、保温箱内に入り込むのを遮断することができる。したがって、保温箱内に入口から外部の冷たい空気が随伴流により入り込むのを抑制し、保温箱内の保温効率をより一層向上させることができる。
【００２４】
また、前記糸条送りローラが、前記ヒータを内蔵する加熱ローラであることが好ましい。
【００２５】
これによると、糸条送りローラに巻かれた糸条を直接加熱するため、糸条の加熱効率を向上させることができる。また、糸条送りローラと別にヒータを設ける必要がなく、装置の構成が簡単になる。
【発明の効果】
【００２６】
熱交換器により排気口から排出される高温の空気と流入口から流入する低温の空気との間で熱交換させて、加熱された空気を保温箱内に流入させている。これにより、排気手段により保温箱内の空気を排出することによる保温箱内の温度低下が抑制され、保温箱内の保温効率が向上し、糸条を適切な温度に加熱するのに必要なヒータの消費電力を低減することができる。
【図面の簡単な説明】
【００２７】
【図１】本実施形態に係る糸製造装置の概略構成図である。
【図２】ローラユニットの斜視図である。
【図３】保温箱及び熱交換器の水平断面を上方から見た図である。
【発明を実施するための形態】
【００２８】
以下、本発明の好適な実施形態について説明する。図１は、本実施形態に係る糸製造装置の概略構成図である。図１に示すように、糸製造装置１は、紡糸機２、給油ユニット６、２つのローラユニット３、４（糸条加熱装置）、及び、巻取機５などを有している。
【００２９】
紡糸機２は、紡糸口金２ａから吐出された複数のフィラメントからなる糸条Ｙ（いわゆるマルチフィラメント糸）を下方に紡出する。給油ユニット６は、紡糸機２から紡出されて走行する複数の糸条Ｙに油剤を付着させる。ローラユニット３、４は、紡糸機２から紡出され、油剤が付着した複数の糸条Ｙを加熱しつつ延伸して送る。巻取機５は、ローラユニット３、４により延伸されて送られた複数の糸条Ｙを図示しないボビンに巻き取る。
【００３０】
なお、上述した糸製造装置１の各部の構成のうち、紡糸機２及び巻取機５の構成は従来と同様であるのでその詳細な説明を省略し、以下ではローラユニット３、４について詳細に説明する。
【００３１】
ローラユニット３、４は、紡糸機２よりも下方に配置されている。図２は、ローラユニットの斜視図である。図３は、保温箱及び熱交換器の水平断面を上方から見た図である。なお、図２においては、２つのローラユニット３、４のうち糸条Ｙの走行方向上流側にあるローラユニット３を図示している。また、ローラユニット３、４は同様の構造を有するものなので、以下ではローラユニット３を例に挙げてその構造について説明し、ローラユニット４についてはローラユニット３との違いだけを説明する。そして、ローラユニット３、４のどちらについて説明しているのかをわかりやすくするために、ローラユニット４の構成要素には、ローラユニット３の構成要素に付した符号にダッシュをつけた符号（例えば、ゴデットローラ１１’、セパレートローラ１２’など）を付して説明を行う。
【００３２】
図１、図２に示すように、ローラユニット３は、ゴデットローラ１１、セパレートローラ１２、ローラ１１、１２を収容する保温箱１３、及び、保温箱１３の外側に設けられた熱交換器３０を有している。保温箱１３は、断熱材からなる直方体形状の箱である。また、保温箱１３には、開閉自在な扉１３ａが設けられている。
【００３３】
保温箱１３内には、ゴデットローラ１１及びセパレートローラ１２が収容されている。ゴデットローラ１１は、保温箱１３の扉１３ａと反対側に配置された、図示しないフレームによって片持ち支持された駆動ローラであり、紡糸機２から送られた複数の糸条Ｙを引き取る。そして、ゴデットローラ１１は、図示しない駆動モータにより駆動されると回転して、巻き掛けられた複数の糸条Ｙを走行方向下流側に送る。
【００３４】
セパレートローラ１２は、ゴデットローラ１１の上方に配置されており、ゴデットローラ１１と同様に、保温箱１３の扉１３ａと反対側に配置された、図示しないフレームに片持ち支持された従動ローラである。ゴデットローラ１１により引き取られた複数の糸条Ｙは、ゴデットローラ１１とセパレートローラ１２との間で、互いに重なり合わないように所定のピッチごとにずれて複数回巻き付けられている。
【００３５】
そして、ゴデットローラ１１が回転して、複数の糸条Ｙが走行することで、糸条Ｙが巻回されたセパレートローラ１２も回転する。セパレートローラ１２から送られた複数の糸条Ｙは、走行方向下流側にあるローラユニット４に送られる。
【００３６】
また、ゴデットローラ１１は、ヒータ１５（図２参照）を内蔵した加熱ローラであり、ゴデットローラ１１とセパレートローラ１２との間に巻回されて送られる間に糸条Ｙは加熱される。そして、ゴデットローラ１１及びセパレートローラ１２が保温箱１３内に配置され、扉１３ａが閉じられることにより、ヒータ１５により発生した熱が保温箱１３外に逃げ出してしまうのを防止している。なお、セパレートローラ１２も、ゴデットローラ１１と同様に駆動ローラであってもよいし、加熱ローラであってもよい。
【００３７】
保温箱１３の上壁２３には、ローラ１１、１２を挟んだ両側の部分に、複数の糸条Ｙの並び方向とほぼ平行に延びた２つのスリット２４ａ、２４ｂ（糸条の入口、糸条の出口）が形成されている。スリット２４ａは、ローラ１１、１２への糸掛け時に前面から糸条Ｙを挿入するために、その扉１３ａ側（保温箱１３の開閉口側）の端が開口している。そして、スリット２４ａは、巻取機５への糸巻き取り時に糸条Ｙを保温箱１３内に入れるための入口となっている。
【００３８】
スリット２４ｂは、スリット２４ａと同様に、ローラ１１、１２への糸掛け時に前面から糸条Ｙを挿入するために、その扉１３ａ側の端が開口している。そして、スリット２４ｂは、巻取機５への糸巻き取り時に保温箱１３内から糸条Ｙを出すための出口となっている。
【００３９】
また、スリット２４ａ、２４ｂの上記開口は、扉１３ａを閉じたときに、扉１３ａにより塞がれるようになっている。
【００４０】
また、保温箱１３の扉１３ａと反対側の側壁２６には、ローラ１１、１２を挟んだ両側の部分であって、スリット２４ａ、２４ｂの直下の部分に、流入口２７、排気口２８がそれぞれ形成されている。流入口２７は矩形状をしており、排気口２８は円状をしている。
【００４１】
図２、図３に示すように、熱交換器３０は、例えば、銅やアルミニウムなどの熱伝達効率のよい金属材料からなる、内管３１及び内管３１に外挿された外管３２からなる二重管３３と、外管３２から分岐した分岐管３４と、を有している。内管３１は、一端を排気ファン４０（排気手段）に接続されており、他端を排気口２８に接続されている。外管３２は、一端を吸気ファン４１（送気手段）に接続されており、他端を封止されている。分岐管３４は、外管３２の端部側から分岐しており、流入口２７と接続されている。外管３２と分岐管３４は、外周を図示しない断熱材で巻かれている。なお、吸引ファン４１は、分岐管３４と保温箱１３の接続部近傍に設けることも可能である（図３の一点鎖線部で示す部分）。
【００４２】
そして、排気ファン４０が駆動すると、保温箱１３内の空気が内管３１内を通って排気される。また、吸気ファン４１が駆動すると、外部の空気が外管３２内を通った後、分岐管３４内を通って保温箱１３内に流入する。このとき、熱交換器３０では、内管３１内を通る空気と外管３２内を通る空気とが互いに逆方向に流れる対向流となっており、この２方向に流れる空気の間で熱交換が行われる。これにより、並行流の場合に比べて、熱の伝達効率が高くなっている。なお、吸気ファン４１による保温箱１３への空気の送気量は、排気ファン４０による保温箱１３からの空気の排気量以上にしている。好ましくは、送気量と排気量は同じである。吸気ファン４１と排気ファン４０の送気量と排気量は、ファン駆動モータ容量、配管の径形状、バルブの開閉量などを調整することで、所望の空気流量に設定することができる。
【００４３】
ローラユニット４は、ローラユニット３とは上下が逆になった姿勢で配置されている。そして、ローラユニット３、４は、後述するがゴデットローラ１１の回転速度が異なっている。
【００４４】
以上のような構成を有する糸製造装置１においては、紡糸機２から紡出された複数の糸条Ｙが、給油ユニット６により油剤が付着された後、まず、スリット２４ａの開口と反対側（図１の紙面奥側）の端部近傍を通って保温箱１３内に入り、ローラユニット３のゴデットローラ１１に引き取られる。
【００４５】
そして、保温箱１３内のゴデットローラ１１に引き取られた糸条Ｙは、ゴデットローラ１１とセパレートローラ１２との間に複数回巻回された後に、ゴデットローラ１１から離れて、スリット２４ｂの開口近傍を通って保温箱１３の外部に出て、スリット２４ａ’の開口と反対側（図１の紙面奥側）の端部近傍を通って保温箱１３’内に入り、ローラユニット４のゴデットローラ１１’に送られる。
【００４６】
その後、保温箱１３内のゴデットローラ１１’に引き取られた糸条Ｙは、ゴデットローラ１１’とセパレートローラ１２’との間を複数回巻回された後に、ゴデットローラ１１’から離れて、スリット２４ｂ’の開口近傍を通って保温箱１３’の外部に出て、巻取機５に送られる。
【００４７】
これにより、糸条Ｙは、紡糸機２から巻取機５に向かって、例えば、４０００〜６０００ｍ／ｍｉｎ程度の速度で走行する。このとき、糸条Ｙは、ヒータ１５を内蔵した加熱ローラ１１、１２の間、及び、同様にヒータ１５を内蔵した加熱ローラ１１’、１２’の間を加熱されながら送られる。さらに、ローラユニット４のゴデットローラ１１’は、ローラユニット３のゴデットローラ１１よりも回転速度が速くなっており、加熱された糸条Ｙは、ゴデットローラ１１とゴデットローラ１１’との間で、両者の回転速度の差に対応した力で延伸される。
【００４８】
ここで、保温箱１３内で糸条Ｙとともに油剤が加熱されると、糸条Ｙに付着した油剤の一部は気化して保温箱１３内で油煙が発生する。そこで、保温箱１３内で発生した煙を除去するために排気口２８から排気しているが、このとき、保温箱１３内の高温の空気も煙とともに排出されることになる。そして、保温箱１３内の空気が排出されて、保温箱１３内の気圧が外部よりも低下することで、保温箱１３内にスリット２４ａや隙間から外部の低温の空気が流入してしまう。そして、保温箱１３内の温度が低下してしまう。
【００４９】
そこで、本実施形態においては、熱交換器３０を設けることで、保温箱１３内から煙とともに排出される高温の空気（例えば、１００度）と、保温箱１３内に流入する外部の低温の空気（例えば、３０度）との間で熱交換を行い、加熱された空気（例えば、６０度）を保温箱１３内に流入させている。これにより、排気ファン４０により保温箱１３内の空気を排出することによる保温箱１３内の温度低下が抑制され、保温箱１３内の保温効率が向上し、糸条Ｙを適切な温度に加熱するのに必要なヒータ１５の消費電力を低減することができる。
【００５０】
また、吸気ファン４１により保温箱１３内に流入口２７から空気を流入させることで、保温箱１３のスリット２４ａ、２４ｂや隙間ではなく、熱交換器３０により加熱された空気を優先的に流入させることができる。このとき、排気ファン４０により保温箱１３内から排出される空気の量以上に、吸気ファン４１により保温箱１３内に加熱された空気が流入するため、保温箱１３内に熱交換器３０を介さずに低温の空気が流入するのを抑制することができ、保温箱１３内の保温効率を一層向上させることができる。
【００５１】
また、排気口２８が保温箱１３内から糸条Ｙが出るためのスリット２４ｂの直下に設けられていることで、スリット２４ｂから糸条Ｙの走行によって生じる随伴流によって煙が外部に流れ出るのを抑制することができる。さらに、流入口２７が保温箱１３内へ糸条Ｙを入れるためのスリット２４ａの直下に設けられていることで、保温箱１３内への空気の流入が排気口２８から離れた位置で行われるため、排気口２８の周辺で流入口２７から流入した空気により煙が拡散することがなく、保温箱１３内から煙を効率よく排出させることができる。また、保温箱１３内に流入する空気がすぐに排気口２８から流出するのを防止することができる。加えて、分岐管３４が外管３２の側壁２６寄りから分岐していることで、外管３２内に流入した空気が、分岐管３４を流れる前に外管３２内を流れる時間が長くなり、熱交換器３０による熱交換効率を上げて、より高温に加熱された空気を保温箱１３内に流入させることができる
【００５２】
また、流入口２７から保温箱１３内にスリット２４ａを横切って空気が流入するため、走行する糸条Ｙにより発生した随伴流がスリット２４ａを通過して、保温箱１３内に入り込むのを遮断することができる。したがって、保温箱１３内にスリット２４ａから外部の低温の空気が随伴流により入り込むのを抑制し、保温箱１３内の保温効率をより一層向上させることができる。なお、スリット２４ａと流入口２７は、スリット２４ａから入った糸条Ｙと流入口２７から流入した空気とが直交するように形成され、好ましくは、スリット２４ａから保温箱１３内に入った糸条Ｙの走行方向と逆向きに傾斜した方向に流入口２７から流入した空気が流れるように形成されていれば、随伴流が入り込むのをより効果的に抑制することができる。
【００５３】
さらに、ゴデットローラ１１がヒータ１５を内蔵する加熱ローラであることで、ゴデットローラ１１に巻かれた糸条Ｙを直接加熱するため、糸条Ｙの加熱効率を向上させることができ、また、この加熱するゴデットローラ１１と別にヒータ１５を設ける必要がなく、ローラユニット３、４の構成が簡単になる。
【００５４】
次に、本実施の形態に種々の変更を加えた変形例について説明する。ただし、本実施の形態と同様の構成を有するものについては、同じ符号を付し、適宜その説明を省略する。
【００５５】
本実施形態においては、ローラユニット３のローラ１１、１２とローラユニット４のローラ１１’、１２’とがそれぞれ異なる保温箱１３、１３’内に収容されていたが、１つの保温箱１１３内に収容されていてもよい。例えば、いわゆる片掛けタイプと称され、複数の加熱ローラを千鳥状に配置し、各加熱ローラへの巻き掛け角度を３６０度以内にして、上流側の加熱ローラから順にそれぞれ糸条Ｙを掛けて走行させる構成においても、本発明を適用することができる。
【００５６】
また、本実施形態においては、熱交換器３０の二重管３３の内管３１の断面形状は円形であったが、熱交換器２３０の内管２３１はいかなる形状であってもよく、伝熱面積が大きくなり、熱交換効率が大きくなるような形状であればよい。
【００５７】
さらに、本実施形態においては、熱交換器としては、二重管３３を用いたが、従来公知の種々の熱交換器を用いてもよい。例えば、複数枚のプレートを積層して、プレート間に流路を形成して、冷却媒体と加熱媒体をプレートの積層方向に関して交互に流す流路を形成したプレート式の熱交換器であってもよい。
【００５８】
また、本実施形態においては、ゴデットローラ１１とセパレートローラ１２との間に糸条Ｙを複数回巻回していたが、セパレートローラ１２を設けずに、ゴデットローラ１１だけに糸条Ｙを複数回巻回してもよい。
【００５９】
さらに、本実施形態においては、内管３１が排気ファン４０と接続され、外管３２が吸気ファン４１と接続され、内管３１を排気される高温の空気が流れているとともに、外管３２及び分岐管３４を流入する低温の空気が流れていたが、内管３１が吸気ファン４１と接続され、外管３２が排気ファン４０と接続され、外管３２及び分岐管３４を排気される高温の空気が流れるとともに、内管３１を流入する低温の空気が流れてもよい。
【００６０】
また、本実施形態においては、複数のフィラメントからなるマルチフィラメント糸に油剤を付着させて加熱延伸した後、巻取機５に巻き取る糸製造装置１に本発明を適用したが、モノフィラメント糸に油剤を付着させて加熱延伸した後、巻取機５に巻き取る糸製造装置に本発明を適用してもよい。さらに、マルチフィラメント糸、モノフィラメント糸に限らず、糸条Ｙに油剤を付着させずに加熱延伸した後、巻取機５に巻き取る糸製造装置においても、紡出された糸条Ｙに含まれる不純物が気化して煙が発生するおそれがあるため、本発明を適用してもよい。
【００６１】
さらに、本実施形態においては、排気口２８や流入口２７の数は１つであったが複数であってもよい。そして、排気口２８や流入口２７を設ける位置は任意の位置であってよい。例えば、排気口を糸条Ｙの出口のスリット２４ｂの直下に加えて、油煙の発生しやすい加熱されたゴデットローラ１１の近傍に設けてもよい。
【００６２】
また、本実施形態においては、吸気ファン４１により流入口２７から強制的に空気を流入させていたが、外管３２の一端は吸気ファン４１に接続されず、大気開放されていてもよい。この場合でも、保温箱１３内から排気口２８を介して空気が排出されることで、保温箱１３内の気圧が外部よりも低下するため、外管３２を介して流入口２７から空気は流入される。また、外管３２の一端は、加圧ポンプなどの加圧源に接続されていてもよい。
【００６３】
さらに、本実施形態においては、吸気ファン４１は外管３２の端部に接続されていたが、外管３２内、分岐管３４内及び流入口２７のいずれかに設けられていてもよい。
【００６４】
また、本実施形態では、糸条Ｙを加熱しつつ延伸するための、ゴデットローラ及びセパレートローラを保温箱内に備えたローラユニットに本発明を適用した例について説明したが、これには限られず、糸条を加熱して送るための加熱ローラを保温箱内に備えた他の糸条加熱装置に本発明を適用することも可能である。
【符号の説明】
【００６５】
１  糸製造装置
３、４  ローラユニット
１１  ゴデットローラ
１２  セパレートローラ
１３  保温箱
１５  ヒータ
２７  流入口
２８  排気口
３０  熱交換器
Ｙ  糸条
【図１】
0005580242.tif 000002
【図２】
0005580242.tif 000003
【図３】
0005580242.tif 000004